(57)【要約】【課題】ディスクケースが変形してもディスクを所定位置に保持することが可能であり、一組の金型で製造することが可能であり、組立てが容易であり、且つ、上蓋とディスクとの間を添付される冊子の格納スペースとして利用できる構造のものを提供する。【解決手段】二枚の蓋２・３とこれらを繋ぐ背表紙部８とで構成され、閉じ合わされた前記二枚の蓋２・３により形成される内部空間にセンターホール５０ａを有するディスク５０を格納するディスクケース１であって、前記二枚の蓋２・３の何れか一方若しくは両方に、ディスク５０の内周部を支持する内周支持部１０と、前記ディスク５０の外周部を支持する外周支持部１１と、前記外周支持部１１に一体的に設けられ、ディスク５０と重複しないアンロック状態と、ディスク５０よりも他方の蓋側において該ディスク５０と少なくとも一部が重複するロック状態とに、姿勢変化する障害部１３とを、設けた。【選択図】図１
2008044651.tif 000002
【特許請求の範囲】
【請求項１】
二枚の蓋とこれらを繋ぐ背表紙部とで構成され、閉じ合わされた前記二枚の蓋により形成される内部空間にセンターホールを有するディスクを格納するディスクケースであって、
前記二枚の蓋の何れか一方若しくは両方に、
ディスクのセンターホールに挿入されて該ディスクの内周部を支持する内周支持部と、
前記ディスクの外周部を支持する外周支持部と、
前記外周支持部に一体的に設けられ、ディスクと重複しないアンロック状態と、ディスクよりも他方の蓋側において該ディスクと少なくとも一部が重複するロック状態とに、姿勢変化する障害部とが、
設けられていることを特徴とする、ディスクケース。
【請求項２】
前記ロック状態の姿勢にある障害部を係止させるための係止形状部が、前記外周支持部に設けられていることを特徴とする、請求項１に記載のディスクケース。
【請求項３】
前記障害部が、前記内周支持部を通り前記背表紙部の長尺方向と略平行な直線と、前記外周支持部とが交わる二カ所において、少なくとも設けられていることを特徴とする、請求項１又は請求項２に記載のディスクケース。
【発明の詳細な説明】
【技術分野】
【０００１】
本発明は、センターホールを有するディスクを格納するディスクケースに関し、詳細には、収納されたディスクの盗難を防止するための機構を備えたディスクケースに関する。
【背景技術】
【０００２】
従来から、音声、画像、その他の情報の記憶媒体として市販されているＣＤやＤＶＤ（以下、ディスクとする）は、損傷しないように、ディスクの形状に合ったディスクケースに格納されて、管理、運搬等が行われる。特に、ＤＶＤは可撓性のある専用のディスクケースに入れられて、透明なフィルムで包装されて、販売されている。
【０００３】
上記のようにディスクケースに格納されたディスクは、その読取り面を好適に保護するために、該ディスクケースの略中央に突設された支持爪にセンターホールが保持されることによって、当該ディスクケース内の所定位置に保持される。しかし、ディスクケースの落下などにより衝撃を受けて外力が加わり変形すると、前記支持爪に保持されているディスクは、その保持が解除されて、ディスクケース内を自由に移動できる状態となってしまうことがある。
【０００４】
そこで、ディスクケースが変形した場合でも、前記支持爪からディスクが外れず、然もディスクケースに衝撃が加わった場合などでもディスクの損傷を防止するために、センターホールの内周を面内方向に押圧する保持部材（支持爪）と、ディスクの外周部を面内方向に押圧する支持片とを設けたディスクケースが公知となっている（例えば、特許文献１参照。）。
【０００５】
また、人為的にディスクケースを変形させてディスク内周支持部によるディスクの保持を解除し、ディスクケースからディスクを抜取るという、ディスクの盗難を防止するために、ディスクのセンターホールがディスクケースの支持爪に保持された状態で該支持爪の変形を規制する障害部材を備えて、ディスクケースの変形によりディスクの保持が解消されないようにしたディスクケースが公知となっている（例えば、特許文献２参照。）。
【０００６】
しかしながら、前記特許文献２において、ディスクケースの支持爪の変形を規制する障害部材は、ディスクケース本体とは別体として設けられており、ディスクケースとは別の金型を用いて製造を行う必要があるため、コスト及び組立て作業工程の増加を招くこととなる。加えて、市販のディスクケースには説明書等の冊子が添付されることがあるが、前記障害部材が上蓋とディスクとの隙間を狭くするために、添付される冊子の厚みが限定されてしまうという不具合がある。
【特許文献１】特開２００３−３４３８２号公報
【特許文献２】特開２００３−４０３８１号公報
【発明の開示】
【発明が解決しようとする課題】
【０００７】
そこで本発明では、センターホールを有するディスクを格納するディスクケースであって、ディスクケースが変形してもディスクを該ディスクケースの所定位置に保持することが可能であり、一組の金型で製造することが可能であり、組立てが容易であり、且つ、上蓋とディスクとの間を添付される冊子の格納スペースとして利用できる構造のものを提供する。
【課題を解決するための手段】
【０００８】
本発明の解決しようとする課題は以上の如くであり、次にこの課題を解決するための手段を説明する。
【０００９】
即ち、請求項１においては、二枚の蓋とこれらを繋ぐ背表紙部とで構成され、閉じ合わされた前記二枚の蓋により形成される内部空間にセンターホールを有するディスクを格納するディスクケースであって、前記二枚の蓋の何れか一方若しくは両方に、ディスクのセンターホールに挿入されて該ディスクの内周部を支持する内周支持部と、前記ディスクの外周部を支持する外周支持部と、前記外周支持部に一体的に設けられ、ディスクと重複しないアンロック状態と、ディスクよりも他方の蓋側において該ディスクと少なくとも一部が重複するロック状態とに、姿勢変化する障害部とが、設けられているものである。
【００１０】
請求項２においては、前記ロック状態の姿勢にある障害部を係止させるための係止形状部が、前記外周支持部に設けられているものである。
【００１１】
請求項３においては、前記障害部が、前記内周支持部を通り前記背表紙部の長尺方向と略平行な直線と、前記外周支持部とが交わる二カ所において、少なくとも設けられているものである。
【発明の効果】
【００１２】
本発明の効果として、以下に示すような効果を奏する。
【００１３】
本発明によれば、ディスクケース（特に、ディスクの略中央に形成されたセンターホールが挿入される内周支持部）が変形して、内周支持部からディスクが脱した場合でも、障害部にてディスクの面外方向への移動を規制して、ディスクをディスクケースの所定位置に保持することが可能である。
また、前記障害部は、ディスクケースと一体的に形成されているので、一組の金型で製造することが可能であり、組立て工程も容易になるため安価な製造が可能となる。
さらに、ディスクケースにおける上蓋とディスク格納部との間のスペースは、前記障害部により占領されることがなく、障害部を設置しない場合と同様の冊子等格納のためのスペースが得られる。
【発明を実施するための最良の形態】
【００１４】
次に、本発明を実施するための形態を、添付の図面を用いて説明する。
図１は本発明におけるディスク収納前のディスクケースの構成を示す斜視図、図２は同じくディスクケースの構成を示す平面図、図３は実施例１に係る収納後のディスクケースの構成を示す斜視図、図４は同じくディスクケースの構成を示す平面図、図５は同じく図４におけるＡ−Ａ線断面図および障害部断面の一部拡大図、図６は実施例２に係る収納後のディスクケースの構成を示す斜視図、図７は同じくディスクケースの構成を示す平面図、図８は（ａ）、（ｂ）はディスクの開放方法を示す図、（ｃ）はディスクの開放方法を示す断面図、図９はディスク抜取り方法を示した図である。
【００１５】
次に、発明の実施の形態を説明する。
図１及び図２に示すように、本発明の実施例に係るディスクケース１は、上蓋２と、下蓋３と、この二枚の蓋を繋ぐ背表紙部８とで、所謂、ブック型のディスクケースに構成され、閉じ合わされた前記二枚の蓋により形成される内部空間にセンターホールを有するディスクが格納される。ブック型のディスクケース１は、背表紙部８を軸として下蓋３に対して上蓋２を回動（揺動）させることにより、ディスク５０が格納される内部空間を閉じたり開いたりすることができる。
以下、ディスクケース１に格納されるディスク５０の表面又は裏面と略平行な方向を『面内方向』、該面内方向と略直交する方向を『面外方向』とする。
【００１６】
前記上蓋２には、クリップ状の冊子留め部３０・３０が、一体的に形成される。
また、前記下蓋３には、ディスク５０をディスクケース１内の所定位置に保持するためのディスク格納部２０が、一体的に形成される。該ディスク格納部２０は、ディスク５０のセンターホール５０ａに挿入されて該ディスク５０の内周部を支持する内周支持部１０と、前記ディスク５０の外周部を支持する外周支持部１１とで構成される。
なお、本実施例において、ディスク格納部２０は下蓋３のみに設けているが、下蓋３及び上蓋２の二枚の蓋の何れか一方若しくは両方に設けることができる。
【００１７】
前記ディスク格納部２０の略中央には、ディスク５０のセンターホール５０ａの内周を面内方向に押圧することにて位置固定しながら支持する内周支持部１０が設けられる。該内周支持部１０は、ディスク格納部２０の略中央において起立する、環状に並べられた複数の爪体１０ａ・１０ａ・・・にて構成される。
ディスク５０のセンターホール５０ａを内周支持部１０に位置合わせして下蓋３側へ押圧すると、爪体１０ａ・１０ａ・・・は縮径する方向に弾性変形して該センターホール５０ａに嵌り込む。一旦ディスク５０のセンターホール５０ａに爪体１０ａ・１０ａ・・・が嵌り込むと、ディスク５０のセンターホール５０ａの内周は、弾性回復しようとする爪体１０ａ・１０ａ・・・にて面内方向に押圧される。これによりディスク５０は内周支持部１０にて下蓋３の所定位置に位置固定された状態に保持される。
【００１８】
前記外周支持部１１は、ディスク格納部２０の内周支持部１０にセンターホール５０ａが支持されたディスク５０の外周に相当する位置に、環状に設けられた起立部であって、該ディスク５０の外周部を支持するためのものである。
【００１９】
前記外周支持部１１を形成する起立部の内周側には、ディスク５０の面内方向への移動を規制して位置固定するために、該ディスク５０の外周形状に合わせた段差部が形成される。この段差部にディスク５０が嵌った状態で、外周支持部１１の上面とディスク５０の上面とが略面一となるように、当該段差部の深さが設定される。
【００２０】
前記外周支持部１１には単数又は複数の溝形状のディスク取出しガイド１２が形成される。このディスク取出しガイド１２を通じて手指を外周支持部１１の内周側に入れて、ディスク格納部２０に嵌め込まれたディスク５０の外周部を把持し、該ディスク５０を取出したり嵌め込んだりする操作ができる。
【００２１】
前記外周支持部１１は前記ディスク取出しガイド１２以外の部分で一部切り欠かれて、当該外周支持部１１にて形成される環の開放部１５が設けられる。この開放部１５には、該開放部１５を開閉可能に仕切る障害部１３と、該障害部１３の一側端部が係止する係止突起１３ａとが、それぞれ下蓋３に一体的に設けられる。
前記障害部１３は、開放部１５の一側端を基部１３ｅとするレバー体であって、該障害部１３は基部１３ｅを中心として、開放部１５を開閉するように揺動することができる。このように下蓋３に一体的に設けられた可動部位である前記障害部１３は、全体がディスクケース１に格納されたディスク５０の外周よりも外側に位置する状態と、少なくともその一部がディスク５０の外周よりも内側であって該ディスク５０の上方に位置する状態とに、姿勢変化することができる。
【００２２】
上記のように、前記障害部１３の全体がディスクケース１に格納されたディスク５０の外周よりも外側に位置し、ディスク５０と重複しない状態を、以下『アンロック状態』と記載する。
また、上記のように、前記障害部１３の少なくとも一部がディスク５０の外周よりも内側であって該ディスク５０の上方に位置し、ディスク５０よりも他方の蓋側において該ディスク５０と少なくとも一部が重複する状態を、以下『ロック状態』と記載する。
【００２３】
前記障害部１３は、前記係止突起１３ａに係止されることで、ロック状態の姿勢で保持される。つまり、前記係止突起１３ａは、ロック状態の姿勢にある障害部１３を係止させるために外周支持部１１に設けられた係止形状部である。このロック状態の障害部１３にて、ディスク５０の面外方向への移動を規制することができる。
また、前記障害部１３は、アンロック状態の姿勢となることで、ディスク格納部２０へのディスク５０の着脱の障害となることなく、存在することができる。
【００２４】
前記障害部１３は、内周支持部１０を介して対称となる位置に少なくとも一つずつ設けることが望ましい。ディスク格納部２０からのディスク５０の落脱を効果的に防止するためである。更に望ましくは、外周支持部１１において３カ所以上に障害部１３を設けることができる。但し、障害部１３の数が多すぎると、ディスク５０のディスクケース１への格納作業が繁雑となるので、確実にディスク５０をディスク格納部２０に位置保持できる程度の適宜数とすべきである。
【００２５】
また、図９に示すように、ディスクケース１にディスク５０を格納し、上蓋２と下蓋３とを閉じ合わせた状態において、該ディスクケース１を人為的に変形させると、上蓋２と下蓋３との間隙のうち、背表紙部８と略直交する二つの側面における間隙１００・１００が最も広く開口し、ここから、ディスク５０が抜出される虞がある。つまり、ブック型のディスクケース１を背表紙部８と対向する側面に設けられた開閉用指掛部９に手指を掛けて横開きに開いたときのディスク５０の上下となる方向から、ディスク５０が抜き出される虞がある。このことから、障害部１３は、ディスク格納部２０の略中心に位置する内周支持部１０を通り背表紙部８の長尺方向と略平行な直線と前記外周支持部１１とが交わる二カ所において、少なくとも設けられることが望ましい。
【００２６】
上記構成のディスクケース１において、ディスク５０を格納する際には、予め、障害部１３をアンロック状態としておき、ディスク５０のセンターホール５０ａを内周支持部１０に位置合わせして下蓋３側へ押し込むと、該内周支持部１０にてディスク５０のセンターホール５０ａが支持され、外周支持部１１にて該ディスク５０の外周部が支持される。
さらに、このようにディスク５０が下蓋３のディスク格納部２０に嵌め込まれた状態において、図３乃至図５に示すように、外周支持部１１に設けた障害部１３を姿勢変化させて係止突起１３ａに係止させ、該障害部１３をロック状態とする。
【００２７】
上記のようにディスクケース１に格納されたディスク５０は、前記障害部１３により面外方向への移動、並びに、障害部１３の存在する側の面内方向への移動が規制されるので、仮に、ディスクケース１（特に、ディスクケース１のセンターホール５０ａが支持される内周支持部１０）が変形して、内周支持部１０からディスク５０が落脱した場合でも、ディスク５０をディスクケース１の所定位置（ディスク格納部２０）に保持することが可能である。
【００２８】
図８に示すように、従来の内周支持部１０のみを設けたディスクケース１であれば、該ディスクケースに人為的に外圧を加えれば、爪体１０ａが変形して、ディスク５０が該爪体１０ａから外れて、内周支持部１０によるディスク５０の支持が解除され、該ディスク５０はディスクケース１内で自在に移動することが可能となる。このような状態で、図９に示すように、ディスクケース１の上蓋２と下蓋３との隙間１００に沿ってフィルム６０を切り裂けば、フィルム６０にて梱包されたディスクケース１からディスク５０を抜取ることが可能であった。
【００２９】
これに対し、本発明に係るディスクケース１では、障害部１３がディスク５０の外周部を押圧することによって、該ディスク５０の面外方向への移動が規制される。さらに、障害部１３にて、ディスク５０の該障害部１３を設けた側への面内方向への移動も規制される。このような障害部１３によるディスク５０の移動規制にて、ディスクケース１のディスク格納部２０の内周支持部１０から、ディスク５０のセンターホール５０ａが外れることが防止される。また、ディスク格納部２０の内周支持部１０からディスク５０のセンターホール５０ａが外れた場合でも、当該ディスク５０はその外周部においてディスク格納部２０に位置保持される。
【００３０】
なお、ディスクケース１が軟質性の合成樹脂で構成されていても、ディスク格納部２０の外周支持部１１は内周支持部１０と比較して外部圧力による変形が起こりにくい。この外周支持部１１に付随する形で設けられた障害部１３は、内周支持部１０とは異なり、ディスクケース１の人為的変形に影響を受けにくい。
【００３１】
前述のように、ディスクケース１に格納されたディスク５０は、ディスク格納部２０に留まり、図９に示すようなディスク５０の抜取り、つまり、ディスク５０の盗難を防止することができる。
そして、ディスク５０が購入された後は、ディスクケース１に盗難防止機能を付加していた障害部１３は必要性が無くなる。このように不要となった場合には、障害部１３は、当該障害部１３の基部１３ｅを疲労させて折り切って除去することができる。
【００３２】
続いて、ディスクケース１の下蓋３に設けた障害部１３の構成について、以下に示す実施例１及び実施例２にて、詳細に説明する。
【実施例１】
【００３３】
次に、ディスクケース１に設けた障害部１３の実施例１について説明する。
ここで、補足説明として、図３〜図４では紙面上において右側の障害部１３がロック状態、左側の障害部１３がアンロック状態であり、図５では全ての障害部１３がロック状態となっている。
【００３４】
図１〜図４に示すように、ディスクケース１の下蓋３に形成された外周支持部１１の開放部１５の一側に、係止突起１３ａが設けられ、他側にレバー体である障害部１３の基部１３ｅが設けられる。該障害部１３の基部１３ｅは、外周支持部１１の上蓋２側に、該外周支持部１１と連続して、下蓋３と一体的に設けられる。
前記障害部１３は、基部１３ｅと反対側の先端に、前記係止突起１３ａと係止する鉤状の係合部１３ｄが形成され、さらに、該係合部１３ｄと基部１３ｅとの間においてディスク格納部２０の内周側（内周支持部１０側）へ突出する規制突起部１３ｂが形成される。
前記規制突起部１３ｂの下蓋３側の面は、図５に示すように、ディスク格納部２０側と下蓋３側とに面する、斜面Ｓとなっている。
【００３５】
なお、障害部１３の下蓋３側には、下蓋開口部１３ｃが形成される。つまり、この下蓋開口部１３ｃを型抜きすることにて、障害部１３が形成される。このように下蓋開口部１３ｃを設けることにて、障害部１３をディスクケース１に一体的に形成することが可能となり、一組の金型にてディスクケース１を成形することが可能となる。このように、ディスクケース１に障害部１３が一体的に形成されているので、組立て工程も容易であり、安価な製造が可能となり、産業上有用である。
【００３６】
また、図５に示すように、前記障害部１３の上蓋２側の面と、内周支持部１０の爪体１０ａの上蓋２側の面とは、略面一となるように、ディスクケース１が構成される。つまり、障害部１３を備えたとしても、下蓋３に設けられた内周支持部１０の爪体１０ａと、上蓋２との間の空間を狭めることなく、解説書等の冊子８０の格納スペースとして活用することができ、従来の内周支持部１０のみを備えたディスクケースと同様の冊子８０の格納スペースを確保することができる。
【００３７】
上記構成の障害部１３を、アンロック状態からロック状態へ姿勢変化させる際には、ディスク５０をディスク格納部２０に嵌め込んだ状態で、障害部１３を基部１３ｅを中心として該ディスク格納部２０の内周側へ回動させ、係止突起１３ａと係合部１３ｄとを係合させる。このロック状態において、障害部１３の規制突起部１３ｂは、ディスク５０の外周よりも内側且つ該ディスク５０よりも上蓋２側に位置し、ディスク５０の面外方向への移動、並びに、障害部１３側の面内方向への移動を規制する。
【００３８】
なお、規制突起部１３ｂの下蓋３側の面は斜面Ｓとなっているため、障害部１３を基部１３ｅを中心として該ディスク格納部２０の内周側へ回動させるに連れて、ディスク５０は徐々に下蓋３側へ押圧され、障害部１３がディスク５０の上蓋２側へ存在する場合と比較してより強固にディスク５０を保持することができる。
また、鉤状の係合部１３ｄは係止突起１３ａに強固に係止されるため、障害部１３は人為的に移動させる場合を除いて移動することができず、衝撃などで障害部１３が不本意に移動してロック状態が解除されることがない。
さらに、ディスク５０に対して規制突起部１３ｂで接するため、接触面積が比較的小さく、ディスク５０の印刷面への傷付け確率を軽減させる効果がある。
【実施例２】
【００３９】
次に、ディスクケース１に設けた障害部１３の実施例２について説明する。
ここで、補足説明として、図６〜図７は紙面上において右側の障害部１３がロック状態であり、左側の障害部１３がアンロック状態である。
図６〜図７に示すように、ディスクケース１の下蓋３に形成された外周支持部１１の開放部１５の一側に、係止突起１３ａが設けられ、他側にレバー体である障害部１３の基部１３ｅが設けられる。該障害部１３の基部１３ｅは、外周支持部１１の上蓋２側に、該外周支持部１１と連続して、下蓋３と一体的に設けられる。
障害部１３の端部１３ｆは、係止突起１３ａよりもディスク格納部２０の外側に存在し、係止突起１３ａと当接可能に、構成される。
【００４０】
上記構成の障害部１３では、ディスク５０をディスク格納部２０に出し入れする際には、障害部１３の端部１３ｆを、係止突起１３ａよりもディスク格納部２０の外側に存在させた、アンロック状態とする。
そして、前記障害部１３をアンロック状態からロック状態へ姿勢変化させる際には、ディスク５０をディスク格納部２０に嵌め込んだ状態で、障害部１３を基部１３ｅを中心として回動させ、係止突起１３ａを乗り越えて、ディスク５０の外周よりも内側へ移動させる。弾性変形した障害部１３は、その弾性回復によりディスク格納部２０の外側へ戻ろうとするが、係止突起１３ａにより係止されて、端部１３ｆがディスク５０の外周よりも内側へ位置保持される。
このロック状態において、障害部１３の少なくとも一部は、ディスク５０の外周よりも内側且つ該ディスク５０よりも上蓋２側に位置し、ディスク５０の面外方向への移動、並びに、障害部１３側の面内方向への移動を規制する。
【図面の簡単な説明】
【００４１】
【図１】本発明におけるディスク収納前のディスクケースの構成を示す斜視図。
【図２】同じくディスクケースの構成を示す平面図。
【図３】実施例１に係る収納後のディスクケースの構成を示す斜視図。
【図４】同じくディスクケースの構成を示す平面図。
【図５】同じく図４におけるＡ−Ａ線断面図および障害部断面の一部拡大図。
【図６】実施例２に係る収納後のディスクケースの構成を示す斜視図。
【図７】同じくディスクケースの構成を示す平面図。
【図８】（ａ）、（ｂ）はディスクの開放方法を示す図、（ｃ）はディスクの開放方法を示す断面図。
【図９】ディスク抜取り方法を示した図。
【符号の説明】
【００４２】
１      ディスクケース
２      上蓋
３      下蓋
８      背表紙部
９      開閉用指掛部
１０    内周支持部
１０ａ  爪体
１１    外周支持部
１２    ディスク取出しガイド
１３    障害部
１３ａ  係止突起
１３ｂ  規制突起部
１３ｃ  下蓋開口部
２０    ディスク格納部
３０    冊子留め部
５０    ディスク
５０ａ  センターホール
６０    フィルム
【図１】
2008044651.tif 000003
【図２】
2008044651.tif 000004
【図３】
2008044651.tif 000005
【図４】
2008044651.tif 000006
【図５】
2008044651.tif 000007
【図６】
2008044651.tif 000008
【図７】
2008044651.tif 000009
【図８】
2008044651.tif 000010
【図９】
2008044651.tif 000011